(57)【要約】      （修正有）【課題】一面側に突起形状の形成されているキッチンペーパーを高品質に折り畳んで積み重ねた束を作製することのできる作製方法を提供すること。【解決手段】複数枚のキッチンペーパーＰを２つ折りにして交互に半面を挟み込むように畳んで積み重ねるキッチンペーパー束１０Ｂの作製方法であって、キッチンペーパーは、一面側に浮き出る突起形状Ｅｍが形成されており、そのキッチンペーパーを一方向に移送するとともに、突起形状の形成表面Ｓｆの裏面Ｓｂ同士が対面するように２つ折りしつつ、先に２つ折りにされる当該キッチンペーパーの間に、次に２つ折りにされるキッチンペーパーの移送方向の先行側半面を挟み込むことによって積み重ねてキッチンペーパー束を作製する。【選択図】図２
2019099331.tif 000002
【特許請求の範囲】
【請求項１】
複数枚のキッチンペーパーを２つ折りにして交互に半面を挟み込むように畳んで積み重ねるキッチンペーパー束の作製方法であって、
前記キッチンペーパーは、一面側に浮き出る突起形状が形成されており、
前記キッチンペーパーを一方向に移送するとともに、前記突起形状の形成面の裏面同士が対面するように２つ折りしつつ、先に２つ折りにされる当該キッチンペーパーの間に、次に２つ折りにされる前記キッチンペーパーの移送方向の先行側半面を挟み込むことによって積み重ねてキッチンペーパー束を作製することを特徴とするキッチンペーパー束の作製方法。
【請求項２】
回転軸を平行にされている一対の第１移送ロールおよび第２移送ロールが２系統のそれぞれから送られてくる前記キッチンペーパーを受け取って、当該第１移送ロールおよび前記第２移送ロールの近接回転する外周面のそれぞれに面接触支持させつつ後工程に移送する移送工程と、
移送されてくる２系統の前記キッチンペーパーをそれぞれ２つ折りにする折工程と、
２つ折りにされる２系統の前記キッチンペーパーをそれぞれ交互に受け取って半面を２つ折りの間に挟み込むように畳んで積み重ねる積層工程と、を有して、
前記移送工程は、２系統の前記キッチンペーパーのそれぞれを移送方向に半分の長さ分だけずらした状態で前記突起形状の形成面側を吸引することにより吸着して面接触支持し、
前記折工程は、移送される前記キッチンペーパーの前記突起形状の形成面の裏面の移送方向中央を谷折りする折り目を付けて該突起形状の形成面の裏面同士が対面するように２つ折りにし、
前記積層工程は、移送される前記キッチンペーパーの先行側半面を前記第１移送ロールおよび前記第２移送ロールの外周面から交互に引き離す方向に案内することにより２つ折りの間に挟み込むように畳んで積み重ねて前記キッチンペーパー束にすることを特徴とする請求項１に記載のキッチンペーパー束の作製方法。
【請求項３】
前記第１移送ロールおよび前記第２移送ロールは、それぞれの外周面に前記キッチンペーパーの移送方向の半分の長さに一致する間隔で互いに噛み合う凸面と凹面とが交互に形成されて、当該外周面が近接対面しつつ回転する際に、当該凸面および当該凹面の噛み合い向きが入れ替わる構造を備えており、
前記折工程は、前記第１移送ロールおよび前記第２移送ロールのそれぞれの外周面の前記凸面が前記キッチンペーパーの前記突起形状の形成面の移送方向中央に押し付けられて前記凹面内に入り込むことによって、交互に谷折りになる折り目を該キッチンペーパーに付けて当該キッチンペーパーを２つ折りにすることを特徴とする請求項２に記載のキッチンペーパー束の作製方法。
【請求項４】
前記第１移送ロールおよび前記第２移送ロールは、前記キッチンペーパーを吸引して外周面に吸着させることにより面接触支持しつつ移送する機構を備えており、
前記積層工程は、前記突起形状の形成面の裏面の移送方向中央に前記谷折りになる折り目が付けられている前記キッチンペーパーの先行側半面の前記第１移送ロールおよび前記第２移送ロールの一方の外周面への吸着支持を、他方の外周面への吸着支持に切り換えることにより、当該先行側半面を該一方の外周面から引き離して当該キッチンペーパーよりも先に移送されている前記キッチンペーパーの該先行側半面に続く後続側半面に重ねることによって、２つ折りの間に挟み込むように畳んで積み重ねることを特徴とする請求項３に記載のキッチンペーパー束の作製方法。
【請求項５】
前記積層工程は、２つ折りされる前記キッチンペーパーの先行側半面に続く後続側半面を、当該先行側半面と当該後続側半面の間の折位置の前記突起形状の形成面側に接触して前記第１移送ロールまたは前記第２移送ロールの外周面から機械的に引き離すことにより積み重なるように案内することを特徴とする請求項４に記載のキッチンペーパー束の作製方法。
【請求項６】
複数枚のキッチンペーパーを２つ折りにして交互に半面を挟み込むように畳んで積み重ねるキッチンペーパー束の作製装置であって、
前記キッチンペーパーは、一面側に浮き出る突起形状が形成されており、
当該キッチンペーパーを、前記突起形状の形成面の裏面同士が対面するように２つ折りにして交互に半面を挟み込むように積み重ねてキッチンペーパー束を作製する機構を備えることを特徴とするキッチンペーパー束の作製装置。
【発明の詳細な説明】
【技術分野】
【０００１】
本発明は、エンボス加工などによる突起形状が一面側に形成されているキッチンペーパーの束の作製方法および作製装置に関する。
【背景技術】
【０００２】
ティッシュペーパーやキッチンペーパーなどの薄葉紙は、２つ折りに畳まれて積み重ねられた束にされた後に、１枚ずつ引き出し可能なスリット状の取出口を備える収納箱内に収納されてパッケージ化されることにより、清潔な状態を保つようになっている。
【０００３】
このような薄葉紙では、２つ折りして１枚ずつ引き出せるように折り畳んで積み重ねた束の作製を、例えば、特許文献１に記載の折り畳み作製装置などを利用して自動化することが行われている。
【先行技術文献】
【特許文献】
【０００４】
【特許文献１】特開２０１３−１３２４３９号公報
【発明の概要】
【発明が解決しようとする課題】
【０００５】
ところで、近時のキッチンペーパーにあっては、エンボス加工による突起形状が一面側に形成されて浮き出ている形態が多用されており、このエンボス加工により形状維持等の好適な作用効果を得て、使い勝手が向上されている。
【０００６】
しかしながら、このようなキッチンペーパーを折り畳む特許文献１に記載のような作製装置にあっては、２つ折りして交互に半面を挟み込んで積み重ねる手順になることから、一対の並置されている機構にキッチンペーパーを供給して折り畳むことになる。このため、一対の機構に供給するキッチンペーパーの突起形状の形成面が統一されていないと、その折り畳む向きと突起形状の形成位置との相互関係がバラバラになってしまい、使用する度に、突起形状の位置が異なって使い勝手が悪くなってしまうという不都合が発生する。
【０００７】
また、その折り畳む作製装置に対するキッチンペーパーの突起形状の形成面の位置関係が一定していないと、キッチンペーパー束の作製工程などにおいて不都合が生じる場合もある。
【０００８】
そこで、本発明は、一面側に突起形状の形成されているキッチンペーパーを高品質に折り畳んで積み重ねた束を作製することのできる作製方法や作製装置を提供することを目的としている。
【課題を解決するための手段】
【０００９】
上記課題を解決するキッチンペーパー束の作製方法の発明の一態様は、複数枚のキッチンペーパーを２つ折りにして交互に半面を挟み込むように畳んで積み重ねるキッチンペーパー束の作製方法であって、前記キッチンペーパーは、一面側に浮き出る突起形状が形成されており、前記キッチンペーパーを一方向に移送するとともに、前記突起形状の形成面の裏面同士が対面するように２つ折りしつつ、先に２つ折りにされる当該キッチンペーパーの間に、次に２つ折りにされる前記キッチンペーパーの移送方向の先行側半面を挟み込むことによって積み重ねてキッチンペーパー束を作製することを特徴としている。
【００１０】
上記課題を解決するキッチンペーパー束の作製装置の発明の一態様は、複数枚のキッチンペーパーを２つ折りにして交互に半面を挟み込むように畳んで積み重ねるキッチンペーパー束の作製装置であって、前記キッチンペーパーは、一面側に浮き出る突起形状が形成されており、当該キッチンペーパーを、前記突起形状の形成面の裏面同士が対面するように２つ折りにして交互に半面を挟み込むように積み重ねてキッチンペーパー束を作製する機構を備えることを特徴とするものである。
【発明の効果】
【００１１】
このように本発明の一態様によれば、キッチンペーパーの一面側に浮き出る突起形状の形成面の裏面同士を対面させるように２つ折りにするので、キッチンペーパーの突起形状の形成面の位置関係を均一にして折り畳んで積み重ねることができる。このため、キッチンペーパーの折り畳み時に不都合が生じることがなく、また、使用時に突起形状の位置が安定している状態で使用することのできる、使い勝手のよい高品質なキッチンペーパー束を作製することができる。
【００１２】
また、突起形状の存在により過度の密着を回避しつつ、その突起形状の形成面側を吸引して面接触支持することができ、その吸着状態を容易に解消して次の工程に移行することができる。このため、突起形状の形成面の裏面同士を対面させる方向に折り畳む作業をスムーズに行うことができ、効率よくキッチンペーパーの束を作製することができる。
【００１３】
したがって、一面側に突起形状が形成されているキッチンペーパーを高品質に折り畳んで積み重ねた束を作製することを実現することができる。
【図面の簡単な説明】
【００１４】
【図１】図１は、本発明の一実施形態に係る作製方法および作製装置により作製して収納箱に収納するキッチンペーパー束を示す斜視図である。
【図２】図２は、キッチンペーパーの折り畳み積み重ね状況を説明する側方からの概念図である。
【図３】図３は、その作製方法によりキッチンペーパー束を作製する作製装置を示す正面図である。
【図４】図４は、そのキッチンペーパー束の作製装置の要部の構成を示す一部拡大正面図である。
【発明を実施するための形態】
【００１５】
以下、図面を参照して、本発明の実施形態について詳細に説明する。図１〜図４は本発明の一実施形態に係るキッチンペーパー束の作製方法および作製装置を説明する図である。
【００１６】
（作製対象のキッチンペーパー束のパッケージの説明）
図１および図２において、キッチンペーパーＰは、汎用の紙質で作製されて、通常のエンボス加工による突起形状Ｅｍが形成されている。キッチンペーパーＰは、図３に示すロータリー式のインターフォルダ装置（作製装置）１００によって、２つ折りに畳まれて交互に半面Ｐｈが間に挟み込まれるようにして積み重ねられることにより束１０Ｂにされている。このキッチンペーパー束１０Ｂは、収納箱１０内に収納されることによって、キッチンペーパーパッケージ１０Ｐに作製されている。なお、キッチンペーパーＰは、２つ折りの間に、後続の半面Ｐｈを挟み込んで積み重ねた束１０Ｂにすることで、最上位Ｐｔから摘まれて後述の長穴１５から引き出される際に、その２つ折りの間に挟み込まれている後続のキッチンペーパーＰが摩擦力で引き摺られて露出させることによって、連続使用することのできるパッケージ１０Ｐに作製されている。
【００１７】
ここで、キッチンペーパーＰは、キッチンで使用するものであり、調理途中の食材から水分や油分等を効果的に取り去ることができるように、吸水性や吸油性などに優れるようにティッシュペーパーなどよりも厚めの薄葉紙に作製され、また、食材をトレーなどから離隔させて載せることができるように、形状維持するための突起形状Ｅｍを一面（表面）側に浮き出させるエンボス加工が多用されている。なお、キッチンペーパーＰは、１枚（所謂、１プライ）で利用する形態でも、また、２枚（所謂、２プライ）または３枚（所謂、３プライ）以上の一組を１枚と同様に利用する形態のいずれでもよく、本実施形態では２プライの形態を１枚として利用する場合を一例にして説明する。
【００１８】
ここで、キッチンペーパーＰは、坪量１５〜２５ｇ／ｍ2（測定方法：ＪＩＳ  Ｐ  ８１２４［１９９８］）のクレープ紙により構成するのが好適であり、より好ましくは１９〜２３ｇ／ｍ2の坪量にするのがよい。このクレープ紙は、繊維材料として、キッチンペーパーに適した既知の組成のパルプ繊維が採用されて作製されており、バージンパルプを９０〜１００質量％含むのが適している。本件発明の特有の効果が顕著になるパルプ組成としては、ＮＢＫＰ（針葉樹クラフトパルプ）やＮＵＫＰ（針葉樹未晒しパルプ）などの針葉樹パルプと、ＬＢＫＰ（広葉樹クラフトパルプ）やＬＵＫＰ（広葉樹未晒しパルプ）などの広葉樹パルプと、を適宜の比率で配合するものがよく、特に、針葉樹パルプ：広葉樹パルプの比が１（２５％）：３（７５％）〜１（５０％）：１（５０％）にするのが最適である。また、このキッチンペーパーＰの紙厚は、１７０〜２７０μｍ（測定方法：ＪＩＳ  Ｐ  ８１１８）とするのが好ましい。これにより、キッチンペーパーＰは、吸水性や吸油性などに優れていて、キッチンでの使用に適している。
【００１９】
また、キッチンペーパーＰは、５０〜９０μｍの高さの突起形状Ｅｍがエンボス加工により形成されており、その突起形状Ｅｍの凹部の空間のキッチンペーパーＰの平面方向における開口部分の最大断面積は１．４〜４．２ｍｍ2に、好ましくは２．８〜３．５ｍｍ2になるように作製されている。このキッチンペーパーＰは、離隔間隔が２〜５ｍｍ程度のパターンで突起形状Ｅｍがエンボス加工により形成されている。これにより、キッチンペーパーＰは、拭き取り時などに必要な強度を得ることができ、キッチンでの使用に適している。
【００２０】
収納箱１０は、上面１１がキッチンペーパーＰを２つ折りした長方形に相似する形状に形成されて、その短尺な側面１２および長尺な側面１３がキッチンペーパーＰの束１０Ｂの厚さ程度に形成されている直方体のボックス形状に作製されている。この収納箱１０は、突起形状Ｅｍの浮き出る形成面を表面Ｓｆとして、その裏面Ｓｂが対面するように２つ折りにして半面Ｐｈを交互に挟み込む束１０Ｂの状態のキッチンペーパーＰを、開放状態の短尺側の側面１２から差し込んだ後に、その上片１２ａおよび下片１２ｂを長尺側の側面１３の延長片１３ａ、１３ｂに接着することで閉止するようになっている。なお、収納箱１０は、上面１１、側面１２、１３および底面（不図示）が厚紙で作製されて、そのうちの一面である上面１１の中央付近に、最上面のキッチンペーパーＰを摘むことができるように、指先を差し込み可能な程度の面積で開口する長穴１５が形成されている。
【００２１】
具体的に、キッチンペーパーＰは、２つ折りの内面（表面Ｓｆ）の裏面Ｓｂの両側に突起形状Ｅｍが浮き出ていることから、その束１０Ｂの最上面および最下面に、突起形状Ｅｍが位置している。
【００２２】
このため、キッチンペーパーＰの束１０Ｂは、突起形状Ｅｍが外側に露出しており、収納箱１０の長穴１５から指先を差し込んで最上位のキッチンペーパーＰを引き出する際に、その突起形状Ｅｍで滑りを抑制しつつ摘むことを実現し、快適に使用を開始することができる。また、その長穴１５から露出するキッチンペーパーＰでも、同様に、その突起形状Ｅｍによる滑りの抑制を利用して摘むことが可能であり、次のキッチンペーパーＰを間の摩擦力に負けることなく、引き摺るようにして引き出して露出させることができる。
【００２３】
この束１０ＢのキッチンペーパーＰは、２つ折りされた半面Ｐｈの天井面側および床面側の外面に突起形状Ｅｍの形成表面Ｓｆが位置して、その内面の裏面Ｓｂが別個２枚の２つ折りされた半面Ｐｈの裏面Ｓｂをそれぞれ対面させるように交互に挟み込まれて積み重ねられている。これらのキッチンペーパーＰの天井面側および床面側の内面では、それぞれの突起形状Ｅｍの形成表面Ｓｆの裏面Ｓｂの平面形状Ｐｎが対面接触されるとともに、その挟み込まれた別個２枚の半面Ｐｈの外面では、その互いの突起形状Ｅｍを対面接触させている。なお、この束１０ＢのキッチンペーパーＰの最上位Ｐｔおよび不図示の最下位では、別個１枚の半面Ｐｈを挟み込むだけであることから、２つ折りされた天井面側および床面側の半面Ｐｈの内面（裏面Ｓｂ）の平面形状Ｐｎは、その別個１枚の半面Ｐｈの形成表面Ｓｆの突起形状Ｅｍに対面接触されている。
【００２４】
（キッチンペーパー束の作製装置および作製方法の説明）
ロータリー式のインターフォルダ装置１００は、図３に示すように、Ａ系統とＢ系統の２系統からキッチンペーパー原紙（所謂、原反）Ｐｒの供給を受けて、２つ折りに畳むキッチンペーパーＰを積み重ねたキッチンペーパー束１０Ｂを作製する折り畳み機構１１０を備えている。インターフォルダ装置１００は、それぞれ一対の、第１および第２の切断装置１０２Ａ、１０２Ｂ、第１および第２の移送ロール１１１Ａ、１１１Ｂ、および、第１および第２の剥離装置１１４Ａ、１１４Ｂを備えて構築されており、これら移送ロール１１１Ａ、１１１Ｂおよび剥離装置１１４Ａ、１１４Ｂにより折り畳み機構（キッチンペーパー束１０Ｂの作製装置）１１０が構成されている。
【００２５】
移送ロール１１１Ａ、１１１Ｂは、平行に設置されている回転軸１１１ｒＡ、１１１ｒＢを中心にして円筒形状の外周面１１１ｓＡ、１１１ｓＢの接線方向が図中下方の同一方向に向かうように正逆方向にそれぞれ回転する。移送ロール１１１Ａ、１１１Ｂは、不図示の左右一対の原紙ロールから引き出されて中継ローラ１０１Ａ、１０１Ｂを介して弛まないように送られて来るキッチンペーパー原紙Ｐｒ−Ａ、Ｐｒ−Ｂを、突起形状Ｅｍの形成表面Ｓｆが内側（その裏面Ｓｂの平面形状Ｐｎが外側）になるように外周面１１１ｓＡ、１１１ｓＢのそれぞれに巻き付けられる。移送ロール１１１Ａ、１１１Ｂは、回転することにより、後述の切断装置１０２Ａ、１０２Ｂにより切断されて切り分けられたキッチンペーパーＰを折り畳み位置に向かうように移送する。
【００２６】
切断装置１０２Ａ、１０２Ｂは、移送ロール１１１Ａ、１１１Ｂの外周外側の所定位置に配置されて、その外周面１１１ｓＡ、１１１ｓＢに面接触支持されて移送されるキッチンペーパー原紙Ｐｒ−Ａ、Ｐｒ−Ｂを、後述する突起１１１ｐＡ、１１１ｐＢの形成位置でカッタ１０３Ａ、１０３Ｂによってそれぞれ切断してキッチンペーパーＰに切り分ける。この切断装置１０２Ａ、１０２Ｂのカッタ１０３Ａ、１０３Ｂは、キッチンペーパー原紙Ｐｒ−Ａ、Ｐｒ−Ｂの幅よりも広めに移送ロール１１１Ａ、１１１Ｂの軸方向に延長された刃渡りに形成されており、突起１１１ｐＡ、１１１ｐＢの先端に位置するキッチンペーパー原紙Ｐｒ−Ａ、Ｐｒ−Ｂに接触して切断するようになっている。
【００２７】
剥離装置１１４Ａ、１１４Ｂは、移送ロール１１１Ａ、１１１Ｂの外周面１１１ｓＡ、１１１ｓＢに面接触支持されている切断後のキッチンペーパーＰをそれぞれ引き剥がすように、支点１１４ｆＡ、１１４ｆＢを中心にその外周面１１１ｓＡ、１１１ｓＢの内側から外側に向かうように剥離レバー１１４ｅＡ、１１４ｅＢが回転する。
【００２８】
また、移送ロール１１１Ａ、１１１Ｂは、外周面１１１ｓＡ、１１１ｓＢに、軸方向に延長されている折曲突起（凸面）１１１ｐＡ、１１１ｐＢと折曲溝（凹面）１１１ｄＡ、１１１ｄＢが形成されている。この折曲突起１１１ｐＡ、１１１ｐＢと折曲溝１１１ｄＡ、１１１ｄＢは、移送ロール１１１Ａ、１１１Ｂの外周面１１１ｓＡ、１１１ｓＢの周方向（移送方向）で、キッチンペーパーＰの半分の長さに一致する間隔の（半分の長さ分だけずれた）位置で互いに噛み合うように交互に形成されている。要するに、移送ロール１１１Ａ、１１１Ｂは、回転するのに連れて、近接対面する外周面１１１ｓＡ、１１１ｓＢの折曲突起１１１ｐＡ、１１１ｐＢと折曲溝１１１ｄＡ、１１１ｄＢがそれぞれ噛み合い向きを入れ替えつつ、その外周面１１１ｓＡ、１１１ｓＢで面接触支持する切断後のキッチンペーパーＰを間に挟み込みつつ移送する。
【００２９】
このとき、移送ロール１１１Ａ、１１１Ｂで移送されるキッチンペーパー原紙Ｐｒ−Ａ、Ｐｒ−Ｂは、切断装置１０２Ａ、１０２Ｂに対面する位置でカッタ１０３Ａ、１０３Ｂによって折曲突起１１１ｐＡ、１１１ｐＢの先端位置を切断されることにより、それぞれ１枚のキッチンペーパーＰに切り分けられて外周面１１１ｓＡ、１１１ｓＢに面接触支持されつつ、さらに下流側へと移送される。
【００３０】
この切断後のキッチンペーパーＰは、移送ロール１１１Ａ、１１１Ｂの外周面１１１ｓＡ、１１１ｓＢの折曲突起１１１ｐＡ、１１１ｐＢと折曲溝１１１ｄＡ、１１１ｄＢとに挟み込まれて移送される際、切断された端辺Ｐｅが別のキッチンペーパーＰの移送方向中央Ｐｃ付近に位置する。このため、キッチンペーパーＰは、その移送方向中央Ｐｃが谷折りにされて２つ折りにされつつ、切り分けられた２枚の端辺Ｐｅ毎の半面Ｐｈがその間に挟み込まれる。
【００３１】
詳細には、移送ロール１１１Ａ、１１１Ｂの折曲突起１１１ｐＡ、１１１ｐＢの一方の両側斜面にキッチンペーパーＰ毎の切断された端辺Ｐｅがそれぞれ位置するとともに、他方の対面側に位置するキッチンペーパーＰの移送方向中央Ｐｃが折曲溝１１１ｄＡ、１１１ｄＢを覆うように位置する。そして、折曲突起１１１ｐＡ、１１１ｐＢが折曲溝１１１ｄＡ、１１１ｄＢ内に入り込むように押し付けられると、キッチンペーパーＰは、その端辺Ｐｅと共に移送方向中央Ｐｃがその間に挟み込まれて谷折りの折り目が付けられて２つ折りされる。
【００３２】
これにより、キッチンペーパーＰの２つ折りされた半面Ｐｈの間に、切り分けた２枚のキッチンペーパーＰの半面Ｐｈがそれぞれ挟み込まれる。このとき、キッチンペーパーＰは、突起形状Ｅｍの形成表面Ｓｆが移送ロール１１１Ａ、１１１Ｂの外周面１１１ｓＡ、１１１ｓＢに接する内側になっていることから、その裏面Ｓｂの平面形状Ｐｎが内面側で対面するように２つ折りされて、その形成表面Ｓｆの突起形状Ｅｍが外面側となるように畳まれる。
【００３３】
さらに、移送ロール１１１Ａ、１１１Ｂは、外周面１１１ｓＡ、１１１ｓＢに連通する吸引流路１１５Ａ、１１５Ｂが内部に形成されており、不図示の吸引ポンプを接続して吸引流路１１５Ａ、１１５Ｂ内の空気を吸引可能な機構を備えている。なお、吸引流路１１５Ａ、１１５Ｂは、折曲突起１１１ｐＡ、１１１ｐＢの両側斜面のそれぞれで開口して吸引可能にされているとともに、折曲溝１１１ｄＡ、１１１ｄＢには１箇所で吸引可能に開口されている。
【００３４】
これにより、移送ロール１１１Ａ、１１１Ｂは、吸引流路１１５Ａ、１１５Ｂ内が吸引されることにより外周面１１１ｓＡ、１１１ｓＢに面接触するキッチンペーパーＰ（両端辺Ｐｅと移送方向中央Ｐｃ）を吸引して吸着支持することができる。このとき、移送ロール１１１Ａ、１１１Ｂの外周面１１１ｓＡ、１１１ｓＢに面接触支持されているキッチンペーパーＰは、空気を表裏に流通可能な繊維質の紙質であることから、吸引流路１１５Ａ、１１５Ｂの一方の吸引が停止されると、その停止側が他方の表面側に吸引されて吸着支持されることになって重ねられる。また、キッチンペーパーＰは、突起形状Ｅｍの形成表面Ｓｆが移送ロール１１１Ａ、１１１Ｂの外周面１１１ｓＡ、１１１ｓＢ側に位置するので、突起形状Ｅｍにより隙間が形成されて、全面が密着されてしまうことなく、吸引されて吸着支持される。
【００３５】
このため、移送ロール１１１Ａ、１１１Ｂの外周面１１１ｓＡ、１１１ｓＢに面接触支持されて移送されるＡ系統またはＢ系統のキッチンペーパーＰは、それぞれ交互に移送方向中央Ｐｃに谷折りの折り目が付けられて２つ折りにされた両半面Ｐｈの間に、前後の半面Ｐｈが挟み込まれた状態にスムーズに重ねられて畳まれる。
【００３６】
具体的には、図４に示すように、移送前後のキッチンペーパーＰは、吸引による吸着支持が停止された次の先行側半面Ｐｈが、対面側の先の後続側半面Ｐｈの内面に重ねられるように吸引されて一緒に吸着支持される。
【００３７】
このとき、Ａ系統またはＢ系統のキッチンペーパーＰは、その移送方向中央Ｐｃ側に２枚の端辺Ｐｅが位置するように先の後続側半面Ｐｈと次の先行側半面Ｐｈとが差し込まれて挟まれた状態に畳まれる際に、その次の先行側半面Ｐｈが外周面１１１ｓＡ、１１１ｓＢに密着する状態を解消できずに張り付いてしまうことなく、容易に剥離されて（離隔されて）重ねられる。
【００３８】
この後に、重ねられたキッチンペーパーＰは、移送ロール１１１Ａ、１１１Ｂの更なる回転と共に吸引も停止されることにより、その回転に伴って下方に積まれている束１０Ｂに引き摺られるように外周面１１１ｓＡ、１１１ｓＢから離隔されて積み重ねられる。
【００３９】
このとき、このようにして重ねられるキッチンペーパーＰは、移送方向中央Ｐｃに位置する谷折り外面の折辺Ｐｆに、移送ロール１１１Ａ、１１１Ｂの外周面１１１ｓＡ、１１１ｓＢの内側から外側に移動するように回転する剥離装置１１４Ａ、１１４Ｂの剥離レバー１１４ｅＡ、１１４ｅＢが突き当たる。このため、キッチンペーパーＰは、この剥離装置１１４Ａ、１１４Ｂの剥離レバー１１４ｅＡ、１１４ｅＢによって、その移送ロール１１１Ａ、１１１Ｂの外周面１１１ｓＡ、１１１ｓＢから機械的に引き離されるように案内されることによって、スムーズに、下方の束１０Ｂ上に重ねられるように案内されて積まれる。
【００４０】
このように本実施形態のキッチンペーパー束１０Ｂの作製方法を実行するインターフォルダ装置１００（折り畳み機構１１０）においては、キッチンペーパーＰの突起形状Ｅｍの形成表面Ｓｆの裏面Ｓｂが対面するように２つ折りするので、キッチンペーパーＰの突起形状Ｅｍの形成表面Ｓｆを外面側で均一に露出させつつ、不都合なく２つ折りして積み重ねることができる。このため、キッチンペーパーＰは、突起形状Ｅｍの形成面が表裏バラバラで使い勝手が悪くなることなく、安定した品質のキッチンペーパー束１０Ｂに作製して提供することができる。
【００４１】
また、突起形状Ｅｍの形成表面Ｓｆ側を移送ロール１１１Ａ、１１１Ｂの外周面１１１ｓＡ、１１１ｓＢ側に吸着して面接触支持しつつ２つ折りするので、安定して、かつ張り付くなどの吸着ミスなく（効率よく）高品質に２つ折りする作業をインターフォルダ装置１００に行わせてキッチンペーパー束１０Ｂを作製することができる。
【００４２】
ここで、２つ折りされるキッチンペーパーＰは、突起形状Ｅｍの形成表面Ｓｆと、その裏面Ｓｂとのいずれを対面させるように２つ折りするかで、その２つ折りに抗する剛性が異なることになる。このため、本実施形態のように、突起形状Ｅｍの形成表面Ｓｆの裏面Ｓｂを対面させる、言い換えると、突起形状Ｅｍを外面側にすることによって、インターフォルダ装置１００によりスムーズに２つ折りすることができる。
【００４３】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００４４】
１０            収納箱
１０Ｂ            キッチンペーパーの束
１０Ｐ            キッチンペーパーのパッケージ
１００            インターフォルダ装置
１０２Ａ、１０２Ｂ    切断装置
１０３Ａ、１０３Ｂ    カッタ
１１０            折り畳み機構
１１１Ａ、１１１Ｂ    移送ロール
１１１ｄＡ、１１１ｄＢ    折曲溝
１１１ｐＡ、１１１ｐＢ    折曲突起
１１１ｓＡ、１１１ｓＢ    外周面
１１４Ａ、１１４Ｂ    剥離装置
１１４ｅＡ、１１４ｅＢ    剥離レバー
１１５Ａ、１１５Ｂ    吸引流路
Ｅｍ            突起形状
Ｐ            キッチンペーパー
Ｐｃ            移送方向中央
Ｐｅ            端辺
Ｐｆ            折辺
Ｐｈ            半面
Ｐｎ            平面形状
Ｓｂ            裏面
Ｓｆ            形成表面
【図１】
2019099331.tif 000003
【図２】
2019099331.tif 000004
【図３】
2019099331.tif 000005
【図４】
2019099331.tif 000006